(57)【特許請求の範囲】
【請求項１】
張弦梁や吊構造を有する建物において用いられる耐火被覆線材であって、前記張弦梁または吊構造を構成する線材が、管状に形成された外周材の内部に挿通され、該外周材と前記線材との間には、耐火被覆材が充填され、
前記外周材には、該外周材の外部から内部に向けて貫通する貫通孔が設けられ、該貫通孔には前記外周材の外方側から内方側に向けてボルトが装着され、前記線材は該ボルトによって前記外周材内部における位置が固定されていることを特徴とする耐火被覆線材。
【発明の詳細な説明】
【０００１】
【発明の属する技術分野】
本発明は、張弦梁や吊構造を有する建物において用いられる耐火被覆線材に関するものである。
【０００２】
【従来の技術】
近年、屋根構造に張弦梁や吊構造を用いた建物が数多く実現している。これら張弦梁や吊構造は、長大スパンの屋根構造に好適であるだけでなく、意匠的にも優れたものが実現できることから、様々な建物において用いられるようになってきている。
【０００３】
ところで、このような張弦梁や吊構造は、高所（４ｍ以上）において用いられることが多く、この場合には、基準上、これらの構造を構成する構造材に対して耐火被覆を用いる必要がない。しかし、４ｍ以下の位置においてこれらの構造が用いられる場合には、構造材に対して耐火被覆を施すことが必要となる。
【０００４】
【発明が解決しようとする課題】
上述のような張弦梁や吊構造においては、弦材や束材、あるいは吊材として、丸鋼やケーブルロッドなどの細い線材が用いられることが多いが、耐火被覆材の種類によっては、このような細い線材に対して耐火被覆材を定着させることが困難である場合があった。
【０００５】
また、例えば、半湿式吹付岩綿等を用いてこれらの線材に耐火被覆を施した場合には、耐火被覆を施さない場合に比較して、これらの線材の外観からシャープな印象が得られなくなり、その結果、張弦梁や吊構造が本来有していた意匠的な効果を減じてしまうこととなっていた。
【０００６】
本発明は、このような事情に鑑みなされたものであり、丸鋼やケーブルロッドなどの細い線材に対して耐火被覆を容易に形成できるようにすること、およびこれら線材に耐火被覆を施した場合において、良好な意匠効果を確保できるようにすることを課題としている。
【０００７】
【課題を解決するための手段】
上記課題を解決するために本発明においては以下の手段を採用した。すなわち、本発明の耐火被覆線材は、張弦梁や吊構造を有する建物において用いられる耐火被覆線材であって、前記張弦梁または吊構造を構成する線材が、管状に形成された外周材の内部に挿通され、該外周材と前記線材との間には、耐火被覆材が充填されていることを特徴としている。この耐火被覆線材においては、線材と耐火被覆材との定着性が良好でない場合にも、線材の周囲を耐火被覆材で覆うことができる。また、この耐火被覆線材は、耐火被覆の部分が、外周材に覆われており外観上は見えないようになっている。
【０００８】
以上に加え、本発明の耐火被覆線材は、前記外周材には、該外周材の外部から内部に向けて貫通する貫通孔が設けられ、 該貫通孔には前記外周材の外方側から内方側に向けてボルトが装着され、前記線材は該ボルトによって前記外周材内部における位置が固定されていることを特徴とする。この耐火被覆線材においては、線材が外周材内部に良好に固定される。
【０００９】
【発明の実施の形態】
以下、本発明の実施の形態を、図面に基づいて説明する。
なお、ここで説明する実施の形態は、本発明に係る耐火被覆線材を図３に示すような構造の建物１に適用した場合のものである。
ここに、建物１は、柱の設けられない大スパン部３を有する構成とされており、大スパン部３の屋根構造は、図４（図３におけるＡ−Ａ断面を示す図）に示すように、Ｈ型鋼を用いて形成された屋根５の両端５ａ，５ａ間に下弦材６が張設された張弦梁８となっている。そして、下弦材６に対して、本発明の耐火被覆線材が適用されている。
【００１０】
この下弦材６は、図１に示すような断面を有するように構成されている。すなわち、屋根５の両端５ａ，５ａ（図４参照）間に架設された丸鋼（線材）１０が、鋼管（外周材）１１に挿通され、さらに、鋼管１１と丸鋼１０の間には、セラミックス系の耐火被覆材１２が充填された構成となっている。
【００１１】
このような構成の下弦材６を得るには、図２に示すように、鋼管１１にボルト孔（貫通孔）１４，１４，…を設けておくとともに、鋼管１１の内部に丸鋼１０を挿通し、次いでボルト孔１４，１４，…に対して鋼管１１の外方側からボルト１６，１６，…を装着することにより、ボルト１６，１６，…の先端１６ａ，１６ａ，…を丸鋼１０に当接させる。このようにして、丸鋼１０の鋼管１１内における位置を固定し、さらに、鋼管１１と丸鋼１０との間に耐火被覆材１２（図１参照）を充填することによって、図１に示したような断面を持つ下弦材６を得ることができる。
【００１２】
この下弦材６においては、鋼管１１内に耐火被覆材１２を充填することによって、丸鋼２を耐火被覆材１２で覆うようになっているため、丸鋼２と耐火被覆材１２との定着性が良好でない場合にも、容易に丸鋼２に対して耐火被覆を施すことができ、施工性がよい。また、この下弦材６においては、耐火被覆材１２が鋼管１１に覆われ、外観上見えないようになっているために、単純に耐火被覆のみが施された線材に比較して、よりシャープな外観上の印象を与えることができ、意匠的にも優れている。
【００１３】
また、この下弦材６においては、鋼管１１内にボルト１６を用いて丸鋼２を固定したために、鋼管１１内部において丸鋼２の位置が偏ることが無く、これにより、丸鋼２の周囲を耐火被覆材１２により良好に覆うようにすることができる。
【００１４】
なお、上記実施の形態において、耐火被覆線材の適用対象や耐火被覆線材に用いられる材料等について、本発明の主旨を逸脱しない範囲内で他の構成を採用するようにしてもよい。
例えば、図４に示したものに代えて、図５に示すような張弦梁２０における下弦材２１および束材２２として、本発明の耐火被覆線材を用いるようにしてもよい。
また、吊構造の吊り材として、本発明の耐火被覆線材を用いるようにしてもよい。
また、それとは別に、上記実施の形態において、鋼管１１に代えて、木やアルミニウム、ステンレス等の他の材料によって形成された管を用いるようにしてもよい。
【００１５】
【発明の効果】
以上説明したように、本発明に係る耐火被覆線材は、外周材内に耐火被覆材を充填することによって、線材を耐火被覆材で覆うようになっているため、線材と耐火被覆材との間の定着性が良好でない場合にも、容易に耐火被覆を形成することができ、施工性がよい。また、この耐火被覆線材においては、耐火被覆材が外周材に覆われて外観上見えないようになっているために、単純に耐火被覆のみが施された線材に比較して、外周材の材料の種類により様々な意匠効果を期待することができる。
【００１６】
しかも、本発明に係る耐火被覆線材においては、外周材内においてボルトにより線材を固定したために、外周材内部において線材の位置が偏ることが無く、これにより、線材の周囲を耐火被覆材により良好に覆うようにすることができる。
【図面の簡単な説明】
【図１】  本発明の一実施の形態を模式的に示す下弦材（耐火被覆線材）の断面図である。
【図２】  図１に示した下弦材を形成する途中の状況を示す断面図である。
【図３】  本発明の耐火被覆線材が適用された建物の構造を示す平面図である。
【図４】  図３におけるＡ−Ａ矢視断面図である。
【図５】  本発明の耐火被覆線材の他の適用対象を示す建物の立断面図である。
【符号の説明】
１  建物
６，２１  下弦材（耐火被覆線材）
８，２０  張弦梁
１０  丸鋼（線材）
１１  鋼管（外周材）
１２  耐火被覆材
１４  ボルト孔（貫通孔）
１６  ボルト
２２  束材（耐火被覆線材）
【図１】
0003663567.tif 000002
【図２】
0003663567.tif 000003
【図３】
0003663567.tif 000004
【図４】
0003663567.tif 000005
【図５】
0003663567.tif 000006